(57)【要約】【課題】指挿入部を作るときの手間とシート部材の無駄とを省くことができ、装着中の不快感がない指露出型手袋を提供する。【解決手段】手袋１０Ａでは、四指被覆域１４を形成する被覆上下部２５の両側縁３０Ａ，３０Ｂどうしがつながって筒状を呈するとともに、被覆上下部２５が横方向へ所定寸法離間して縦方向へ延びる第１〜第３接合線３２，３３，３４を介して接合されている。被覆上下部２５の間には、親指を除いた残余の四指を個別に挿脱可能な横方向へ一連に並ぶ第１〜第４指挿入スペースが形成されている。【選択図】図１
2006112010.tif 000002
【特許請求の範囲】
【請求項１】
柔軟なシート部材から作られ、手の甲を覆う手の甲被覆域と、手の平を覆う手の平被覆域と、親指を包被して該親指の少なくとも上半分が露出する親指被覆域と、前記親指を除いた残余の四指を包被して該四指の少なくとも上半分が露出する四指被覆域とを有する指露出型手袋において、
前記四指被覆域が、前記手の甲被覆域の先端部から縦方向外方へ延びていて前記四指の上部を覆う被覆上部と、前記手の平被覆域の先端部から縦方向外方へ延びていて前記四指の下部を覆う被覆下部とから形成され、
前記四指被覆域では、前記被覆上下部の横方向側縁どうしがつながるとともに、前記被覆上下部が横方向へ所定寸法離間して縦方向へ延びる第１〜第３接合線を介して接合され、前記被覆上下部の間に前記四指を個別に挿脱可能な横方向へ一連に並ぶ第１〜第４指挿入スペースが形成されていることを特徴とする前記手袋。
【発明の詳細な説明】
【技術分野】
【０００１】
本発明は、装着時に装着者の五指の少なくとも上半分が露出する指露出型手袋に関する。
【背景技術】
【０００２】
柔軟なシート部材を縫合することで作られ、装着時に装着者の五指の上半分が露出する指露出型手袋がある（特許文献１参照）。この手袋は、手の甲を覆う手の甲被覆域と、手の平を覆う手の平被覆域と、親指の下半分を包被する親指被覆域と、人差し指の下半分を包被する人差し指被覆域と、中指の下半分を包被する中指被覆域と、薬指の下半分を包被する薬指被覆域と、小指の下半分を包被する小指被覆域とから形成されている。親指被覆域を除いた他の指被覆域は、それら指被覆域の縦方向へ延びる側縁部が縫合されることで個別に作られており、それら指被覆域がそれぞれ独立して横方向へ並んでいる。それら指被覆域の先端部には、それら指被覆域を引っ張るときに用いる引っ張り用つまみが取り付けられている。
【特許文献１】特開２００１−１１５３１８号公報
【発明の開示】
【発明が解決しようとする課題】
【０００３】
前記公報に開示の手袋は、親指被覆域を除いた他の指被覆域を作るときに、それら指被覆域の間でシート部材を部分的に切り取った後、それら指被覆域の側縁部をそれぞれ縫合しなければならず、指被覆域を作る手間を要するとともに、シート部材の無駄が生じる。この手袋は、それら指被覆域の側縁部の縁が手袋の外側に露出しないように、側縁部の縁を指被覆域の内側へ折り曲げた状態で側縁部を縫合しているので、側縁部の縁が指被覆域の内側に延出する。側縁部の縁が指被覆域の内側に延出すると、シート部材の材質にもよるが、手袋の装着中に側縁部の縁が指に接し、指に不快な刺激を与える場合がある。
【０００４】
本発明の目的は、指挿入部を作るときの手間とシート部材の無駄とを省くことができ、装着中の不快感がない指露出型手袋を提供することにある。
【課題を解決するための手段】
【０００５】
前記課題を解決するための本発明の前提は、柔軟なシート部材から作られ、手の甲を覆う手の甲被覆域と、手の平を覆う手の平被覆域と、親指を包被して該親指の少なくとも上半分が露出する親指被覆域と、親指を除いた残余の四指を包被して該四指の少なくとも上半分が露出する四指被覆域とを有する指露出型手袋である。
【０００６】
前記前提における本発明の特徴は、四指被覆域が、手の甲被覆域の先端部から縦方向外方へ延びていて四指の上部を覆う被覆上部と、手の平被覆域の先端部から縦方向外方へ延びていて四指の下部を覆う被覆下部とから形成され、四指被覆域では、被覆上下部の横方向側縁どうしがつながるとともに、被覆上下部が横方向へ所定寸法離間して縦方向へ延びる第１〜第３接合線を介して接合され、被覆上下部の間に四指を個別に挿脱可能な横方向へ一連に並ぶ第１〜第４指挿入スペースが形成されていることにある。
【発明の効果】
【０００７】
本発明に係る指露出型手袋によれば、四指被覆域を形成する被覆上部と被覆下部とが縦方向へ延びる第１〜第３接合線を介して接合され、被覆上部と被覆下部との間に四指を個別に挿脱可能な横方向へ一連に並ぶ第１〜第４指挿入スペースが形成されているから、従来技術の手袋と比較し、親指を除いた四指を独立して包被する各指被覆域を個別に作る手間を省くことができ、さらに、それら指被覆域の間でシート部材を部分的に切り取る必要がなく、シート部材の無駄を省くことができる。この手袋は、四指被覆域を形成するシート部材の縁が第１〜第４指スペースの内側へ延出することがないから、手袋の装着中にシート部材の縁が指に接することはなく、指に不快な刺激を与えることがない。
【発明を実施するための最良の形態】
【０００８】
添付の図面を参照し、本発明に係る指露出型手袋の詳細を説明すると、以下のとおりである。
【０００９】
図１，２は、一例として示す手袋１０Ａの斜視図であり、図３，４は、装着状態で示す図１の手袋１０Ａの斜視図と、図３の４−４線矢視断面図とである。図１は、手袋１０Ａを手の甲被覆域１１の側から示し、図２は、手袋１０Ａを手の平被覆域１２の側から示している。なお、図１，２では、縦方向を矢印Ｌ、横方向を矢印Ｍで示し、厚み方向を矢印Ｎで示す。手袋１０Ａは、手の甲を覆う手の甲被覆域１１と、手の平を覆う手の平被覆域１２と、親指を包被して該親指の少なくとも上半分が露出する親指被覆域１３と、親指を除く残余の四指（人差し指、中指、薬指、小指）を包被して該四指の少なくとも上半分が露出する四指被覆域１４とを有する。
【００１０】
手の甲被覆域１１と手の平被覆域１２とは、縦横方向へ伸縮性を有する略矩形の編み物１５Ａ，１５Ｂ（シート部材）から作られている。手の甲被覆域１１と手の平被覆域１２とは、その平面形状が同形同大であり、それら被覆域１１，１２の縦方向へ延びる両側縁部１６，１７が横方向内方へ向かって弧を画いている。手の甲被覆域１１と手の平被覆域１２とは、厚み方向へ重なり合い、それら被覆域１１，１２の両側縁部１６，１７どうしが縫合されている。手の甲被覆域１１と手の平被覆域１２との間には、装着者の手を挿脱可能な手挿入スペース１８が形成されている。
【００１１】
親指被覆域１３は、縦横方向へ伸縮性を有する編み物１５Ｃ（シート部材）から作られている。親指被覆域１３は、その側縁部１９が縫合されて筒状を呈し、被覆域１１，１２の側縁部１６，１７に取り付けられて縦方向へ延びている。親指被覆域１３の基端部２０は、被覆域１１，１２の側縁部１６，１７に形成された開口（図示せず）の周縁に縫合されている。親指被覆域１３の先端部２１には、縦横方向へ伸縮性を有する編み物（シート部材）から作られた筒状のカフ２２が縫合されている。親指被覆域１３の内側には、親指を挿脱可能な親指挿入スペース２３が形成されている。
【００１２】
四指被覆域１４は、２つに折り畳まれた縦横方向へ伸縮性を有する帯状の編み物１５Ｄ（シート部材）から作られている。四指被覆域１４は、手の甲被覆域１１の先端部２４から縦方向外方へ延びていて装着者の四指の上部を覆う被覆上部２５と、手の平被覆域１２の先端部２６から縦方向外方へ延びていて装着者の四指の下部を覆う被覆下部２７とから形成されている。被覆上部２５は、その基端部２８が手の甲被覆域１１の先端部２４に縫合されている。被覆下部２７は、その基端部２９が手の平被覆域１２の先端部２６に縫合されている。被覆上部２５と被覆下部２７とは、それらの側縁部３０，３１どうしが縫合されている。被覆上部２５と被覆下部２７とは、それらの両側縁３０Ａ，３０Ｂ，３１Ａ，３１Ｂ（横方向側縁）がつながることで筒状を呈するとともに、横方向へ所定寸法離間して縦方向へ延びる第１〜第３縫合線３２，３３，３４（第１〜第３接合線）を介して縫合（接合）されている。被覆上部２５と被覆下部２７との間には、四指を個別に挿脱可能な縦方向へ延びる第１〜第４指挿入スペース３５，３６，３７，３８が形成されている。それらスペース３５，３６，３７，３８は、横方向へ一連に並んでいる。
【００１３】
第１指挿入スペース３５は、被覆上下部２５，２７の側縁３０Ａ，３１Ａと第１縫合線３２との間に形成され、装着者の人差し指を挿脱可能であり、第２指挿入スペース３６は、第１縫合線３２と第２縫合線３３との間に形成され、装着者の中指を挿脱可能である。第３指挿入スペース３７は、第２縫合線３３と第３縫合線３４との間に形成され、装着者の薬指を挿脱可能であり、第４指挿入スペース３８は、第３縫合線３４と被覆上下部２５，２７の側縁３０Ｂ，３１Ｂとの間に形成され、装着者の小指を挿脱可能である。
【００１４】
この手袋１０Ａを装着するには、手挿入スペース１８に手を入れた後、親指挿入スペース２３に親指を通し、第１指挿入スペース３５に人差し指を通すとともに、第２指挿入スペース３６に中指を通す。さらに、第３指挿入スペース３７に薬指を通し、第４指挿入スペース３８に小指を通す。それら挿入スペース２３，３５，３６，３７，３８に五指を通すと、図３に示すように、親指の上半分が親指被覆域１３から露出し、四指の上半分が四指被覆域１４から露出する。手袋１０Ａを装着すると、手の甲被覆域１１と手の平被覆域１２とが装着者の手の甲および手の平のみならず、装着者の手首を包被する。
【００１５】
図５，６は、他の一例として示す手袋１０Ｂの斜視図であり、図７，８は、装着状態で示す図５の手袋１０Ｂの斜視図と、図７の８−８線矢視断面図とである。図５は、手袋１０Ｂを手の甲被覆域の側から示し、図６は、手袋１０Ｂを手の平被覆域の側から示している。なお、図５，６では、縦方向を矢印Ｌ、幅方向を矢印Ｍで示し、厚み方向を矢印Ｎで示す。手袋１０Ｂは、手の甲を覆う手の甲被覆域１１と、手の平を覆う手の平被覆域１２と、親指を包被して該親指の少なくとも上半分が露出する親指被覆域１３と、親指を除く残余の四指を包被して該四指の少なくとも上半分が露出する四指被覆域１４とを有する。この手袋１０Ｂは、手の甲被覆域１１と手の平被覆域１２と四指被覆域１４とが伸縮性を有する１枚の編み物１５Ａ（シート部材）を折り曲げることで作られている。
【００１６】
手の甲被覆域１１と手の平被覆域１２とは、その平面形状が同形同大であり、縦方向へ長い矩形を呈する。手の甲被覆域１１と手の平被覆域１２とは、厚み方向へ重なり合い、それら被覆域１１，１２の縦方向へ延びる側縁部１６，１７どうしが縫合されている。手の甲被覆域１１と手の平被覆域１２との間には、装着者の手を挿脱可能な手挿入スペース１８が形成されている。
【００１７】
親指被覆域１３は、縦横方向へ伸縮性を有する編み物１５Ｃ（シート部材）から作られている。親指被覆域１３は、その側縁部１９が縫合されて筒状を呈し、被覆域１１，１２の側縁部１６，１７に取り付けられて縦方向へ延びている。親指被覆域１３の基端部２０は、被覆域１１，１２の側縁部１６，１７に形成された開口（図示せず）の周縁に縫合されている。
【００１８】
四指被覆域１４は、手の甲被覆域１１の先端部２４から縦方向外方へ延びていて装着者の四指の上部を覆う被覆上部２５と、手の平被覆域１２の先端部２６から縦方向外方へ延びていて装着者の四指の下部を覆う被覆下部２７とから形成されている。被覆上部２５は、手の甲被覆域１１につながっている。被覆下部２７は、手の平被覆域１２につながっている。被覆上部２５と被覆下部２７とは、それらの側縁部３０，３１どうしが縫合されている。被覆上部２５と被覆下部２７とは、それらの両側縁３０Ａ，３０Ｂ，３１Ａ，３１Ｂ（横方向側縁）がつながることで筒状を呈するとともに、横方向へ所定寸法離間して縦方向へ延びる第１〜第３縫合線３２，３３，３４（第１〜第３接合線）を介して縫合（接合）されている。被覆上部２５と被覆下部２７との間には、四指を個別に挿脱可能な縦方向へ延びる第１〜第４指挿入スペース３５，３６，３７，３８が形成されている。それらスペース３５，３６，３７，３８は、横方向へ一連に並んでいる。
【００１９】
第１指挿入スペース３５は、被覆上下部２５，２７の側縁３０Ａ，３１Ａと第１縫合線３２との間に形成され、装着者の人差し指を挿脱可能であり、第２指挿入スペース３６は、第１縫合線３２と第２縫合線３３との間に形成され、装着者の中指を挿脱可能である。第３指挿入スペース３７は、第２縫合線３３と第３縫合線３４との間に形成され、装着者の薬指を挿脱可能であり、第４指挿入スペース３８は、第３縫合線３４と被覆上下部２５，２７の側縁３０Ｂ，３１Ｂとの間に形成され、装着者の小指を挿脱可能である。なお、この手袋１０Ｂを装着する手順は、図１のそれと同一である。
【００２０】
手袋１０Ａ，１０Ｂは、四指被覆域１４を形成する被覆上部２５と被覆下部２７とが縦方向へ延びる第１〜第３縫合線３２，３３，３４を介して縫合され、被覆上部２５と被覆下部２７との間に四指を個別に挿脱可能な横方向へ一連に並ぶ第１〜第４指挿入スペース３５，３６，３７，３８が形成されているから、親指を除いた四指を独立して包被する各指被覆域を個別に作る手間を省くことができる。手袋１０Ａ，１０Ｂは、第１〜第４指挿入スペース３５，３６，３７，３８の間で編み物１５Ａ，１５Ｄを部分的に切り取る必要がなく、編み物１５Ａ，１５Ｄの無駄を省くことができる。手袋１０Ａ，１０Ｂは、四指被覆域１４を形成する編み物１５Ａ，１５Ｄの縁が第１〜第４指スペース３５，３６，３７，３８の内側へ延出することがないから、手袋１０Ａ，１０Ｂの装着中に編み物１５Ａ，１５Ｄの縁が指に接することはなく、指に不快な刺激を与えることがない。
【００２１】
図１の手袋１０Ａは、手の甲被覆域１１および手の平被覆域１２が四指被覆域１４とは別の編み物１５Ａ，１５Ｂから作られているから、手の甲被覆域１１と手の平被覆域１２との両側縁部１６，１７の少なくとも一方を所定の形状に裁断することで、それら被覆域１１，１２を装着者の手の外形に合わせることができる。図５の手袋１０Ｂは、手の甲被覆域１１と手の平被覆域１２と四指被覆域１４とが１枚の編み物１５Ａを折り曲げることで作られているから、図１の手袋１０Ａと比較し、四指被覆域１４を手の甲被覆域１１と手の平被覆域１２とに縫合する必要はなく、それら被覆域１１，１２，１４を容易に作ることができる。
【００２２】
手袋１０Ａ，１０Ｂは、編み物の他に、織物やプラスチックフィルム、繊維不織布から作ることもできる。手袋１０Ａ，１０Ｂをプラスチックフィルムや繊維不織布から作る場合、プラスチックフィルムや繊維不織布の接合には、縫合の他に、接着剤またはヒートシール、ソニックシール等の熱融着の技術を利用することができる。
【図面の簡単な説明】
【００２３】
【図１】一例として示す手袋の斜視図。
【図２】一例として示す手袋の斜視図。
【図３】装着状態で示す図１の手袋の斜視図。
【図４】図３の４−４線矢視断面図。
【図５】他の一例として示す手袋の斜視図。
【図６】他の一例として示す手袋の斜視図。
【図７】装着状態で示す図５の手袋の斜視図。
【図８】図７の８−８線矢視断面図。
【符号の説明】
【００２４】
１０Ａ          手袋
１０Ｂ          手袋
１１            手の甲被覆域
１２            手の平被覆域
１３            親指被覆域
１４            四指被覆域
２４            先端部
２５            被覆上部
２６            先端部
２７            被覆下部
３０Ａ          側縁（横方向側縁）
３０Ｂ          側縁（横方向側縁）
３１Ａ          側縁（横方向側縁）
３１Ｂ          側縁（横方向側縁）
３２            第１縫合線（第１接合線）
３３            第２縫合線（第２接合線）
３４            第３縫合線（第３接合線）
３５            第１指挿入スペース
３６            第２指挿入スペース
３７            第３指挿入スペース
３８            第４指挿入スペース
【図１】
2006112010.tif 000003
【図２】
2006112010.tif 000004
【図３】
2006112010.tif 000005
【図４】
2006112010.tif 000006
【図５】
2006112010.tif 000007
【図６】
2006112010.tif 000008
【図７】
2006112010.tif 000009
【図８】
2006112010.tif 000010